(57)【特許請求の範囲】
【請求項１】
ページ番号が設定された複数の画像のうちの一の画像を表示する表示部と、
前記表示部に対するタッチ位置を検出する検出部と、
前記表示部の表示を制御する制御部と、
を備え、
前記検出部は、前記表示部に対するマルチタッチのタッチ位置の間隔が狭められたことを検出し、
前記制御部は、
前記検出部の検出に基づいて、遷移ページ数と遷移ページ数の割合とを決定し、
前記遷移ページ数と前記遷移ページ数の割合とに基づいて、遷移先ページ番号を決定し、前記表示部が表示する画像を前記一の画像から遷移先画像に遷移させ、
前記遷移ページ数は、前記タッチ位置の間隔の狭められた第１長さが長いほど、前記一の画像の前記ページ番号と前記遷移先ページ番号との間の前記遷移ページ数が多くなり、
前記遷移ページ数の割合は、狭められる前の前記タッチ位置の間隔が短いほど、前記第１長さに対する前記遷移ページ数の割合が大きくなり、
前記遷移先画像は、前記ページ番号が前記遷移先ページ番号である、表示装置。
【請求項２】
前記検出部は、前記表示部に対するマルチタッチのタッチ位置のうちの一方のタッチ位置が前記表示部の所定箇所から一定距離内に在り、且つ前記タッチ位置の間隔が狭められたことを検出し、
前記制御部は、前記検出部の検出に基づいて、前記遷移先ページ番号を決定する、請求項１に記載の表示装置。
【請求項３】
前記検出部は、前記表示部に対するマルチタッチが解除されたことを検出し、
前記制御部は、前記検出部の検出に基づいて、前記表示部が表示する画像を、前記一の画像から前記遷移先画像に遷移させる、請求項１又は請求項２に記載の表示装置。
【請求項４】
前記制御部は、前記遷移先ページ番号を前記表示部に表示する、請求項１〜請求項３の何れかの１項に記載の表示装置。
【請求項５】
前記検出部は、前記一方のタッチ位置が前記表示部の画面の一端から一定距離内に在ることを検出し、
前記制御部は、前記検出部の検出に基づいて、前記一の画像の前記ページ番号よりも後方ページの前記ページ番号の中から前記遷移先ページ番号を決定する、請求項２に記載の表示装置。
【請求項６】
前記検出部は、前記一方のタッチ位置が前記表示部の画面の他端から一定距離内に在ることを検出し、
前記制御部は、前記検出部の検出に基づいて、前記一の画像の前記ページ番号よりも前方ページの前記ページ番号の中から前記遷移先ページ番号を決定する、請求項２に記載の表示装置。
【請求項７】
前記制御部は、前記検出部の検出に基づいて、前記複数の画像のうち前記一の画像よりも後方ページの画像を、前記一の画像の後側にずれて重なるように前記表示部に表示する、請求項５に記載の表示装置。
【請求項８】
前記制御部は、前記検出部の検出に基づいて、前記複数の画像のうち前記一の画像よりも前方ページの画像を、前記一の画像の後側にずれて重なるように前記表示部に表示する、請求項６に記載の表示装置。
【請求項９】
前記制御部は、前記遷移先画像上に重なる全ての画像の各々の周縁の一部を、前記一の画像の表面側に折り返す、請求項７又は請求項８に記載の表示装置。
【発明の詳細な説明】
【技術分野】
【０００１】
本発明は、表示装置に関する。
【背景技術】
【０００２】
従来の表示装置は、複数の画像を表示部にプレビュー表示する際、複数の画像のうちの一の画像を表示する。そして、従来の表示装置は、使用者が表示部に対してスワイプ操作すると、表示部の表示画像を一の画像から次ページの画像に遷移させる。この結果、次ページの画像が表示部にプレビュー表示される（例えば特許文献１）。
【先行技術文献】
【特許文献】
【０００３】
【特許文献１】特開２０１１−２３７６３６号公報
【発明の概要】
【発明が解決しようとする課題】
【０００４】
従来の表示装置では、使用者は、所望の画像を表示部にプレビュー表示させる際、所望の画像がプレビュー表示されるまで、スワイプ操作によって画像を１枚ずつ遷移させる必要がある。従って、所望の画像が表示画像から数十枚先のページにある場合、所望の画像がプレビュー表示されるまで、スワイプ操作を何十回も繰り返す必要があり、莫大な時間と手間が掛かる。
【０００５】
本発明は上記課題に鑑みてなされたものであり、その目的は、ゼスチャー操作によって複数の画像のうちの所望の画像を素早くプレビュー表示することができる表示装置を提供することにある。
【課題を解決するための手段】
【０００６】
本発明に係る表示装置は、表示部と、検出部と、制御部とを備える。前記表示部は、ページ番号が設定された複数の画像のうちの一の画像を表示する。前記検出部は、前記表示部に対するタッチ位置を検出する。前記制御部は、前記表示部の表示を制御する。前記検出部は、前記表示部に対するマルチタッチのタッチ位置の間隔が狭められたことを検出し、前記制御部は、前記検出部の検出に基づいて、前記タッチ位置の間隔の狭められた第１長さに基づいて遷移先ページ番号を決定し、前記表示部が表示する画像を前記一の画像から遷移先画像に遷移させ、前記遷移先画像は、前記ページ番号が前記遷移先ページ番号である。
【発明の効果】
【０００７】
本発明によれば、ゼスチャー操作によって複数の画像のうちの所望の画像を素早くプレビュー表示することができる。
【図面の簡単な説明】
【０００８】
【図１】実施形態に係る表示装置の構成図である。
【図２】スワイプ操作による画像遷移処理を示す図である。
【図３】ピンチ操作による拡大縮小処理を示す図である。
【図４】ピンチ操作による画像遷移処理の一例を示す図である。
【図５】遷移先ページ番号の決定方法を示す図である。
【図６】ピンチ操作による画像遷移処理の他の一例を示す図である。
【図７】使用者への遷移先画像の知らせ方の変形例を示す図である。
【図８】遷移先ページ番号の決定方法の変形例を示す図である。
【発明を実施するための形態】
【０００９】
＜実施形態＞
以下、本発明の実施形態について、図面を参照しながら説明する。なお、図中、同一又は相当部分については同一の参照符号を付して説明を繰り返さない。
【００１０】
図１〜図６を参照して、本実施形態に係る表示装置について説明する。図１は、本実施形態に係る表示装置の構成図である。
【００１１】
本実施形態に係る表示装置は、複数の画像のうちの一の画像を表示し、ゼスチャー操作によって、表示画像を複数の画像のうちの所望の画像に遷移させる。本実施形態に係る表示装置は、例えば複合機の操作パネルとして使用される。
【００１２】
図１に示すように、本実施形態に係る表示装置１は、表示部２と、検出部３と、記憶部４と、制御部５とを備える。
【００１３】
表示部２は、画像を表示する。表示部２は、例えば液晶表示部である。
【００１４】
検出部３は、表示部２に対するタッチ位置を検出する。タッチ位置は、使用者が指で表示部２をタッチ操作したときの位置である。検出部３は、例えばタッチパネルであり、表示部２上に設けられる。
【００１５】
また、検出部３は、表示部２に対してスワイプ操作又はピンチ操作がタッチ入力されたことを検出する。スワイプ操作とは、指で表示部２の画面をタッチし、そのタッチ位置を一方向に移動させる操作である。ピンチ操作とは、指で表示部２の画面をマルチタッチし、タッチ位置の間隔を広げる又は狭める操作である。
【００１６】
記憶部４には、複数の画像が保存される。記憶部４は、例えば不揮発性の記憶装置である。
【００１７】
制御部５は、表示装置１の各部（即ち表示部２、検出部３及び記憶部４）を制御する。制御部５は、ＣＰＵ（Central Processing Unit）、ＲＡＭ（Random Access Memory）、及び、ＲＯＭ（Read Only Memory）を備える。ＣＰＵがＲＯＭに格納されたプログラムを実行することで、ＣＰＵが制御部５として機能する。
【００１８】
制御部５は、検出部３の検出に基づいて、表示部２の表示を制御する。
【００１９】
詳しくは、制御部５は、複数の画像のうちの一の画像を表示部２に表示する。複数の画像は、記憶部４に保存されている。複数の画像には、ページ番号が設定されている。
【００２０】
また、検出部３は、表示部２に対してスワイプ操作がタッチ入力されたことを検出する。制御部５は、検出部３の検出に基づいて、第１遷移処理を実行する。第１遷移処理は、表示部２の表示画像を、表示画像の次のページ番号の画像、又は表示画像よりも１つ前のページ番号の画像に遷移させる処理である。第１遷移処理の具体例については、図２を参照して後述する。
【００２１】
また、検出部３は、表示部２に対するマルチタッチのタッチ位置の各々が、表示部２の画面の左右両端（所定箇所）から一定距離内にないことを検出する。制御部５は、検出部３の検出に基づいて、表示画像の拡大縮小操作が表示部２にタッチ入力されたと判定して、拡大縮小処理を実行する。拡大縮小処理は、マルチタッチのタッチ位置の間隔が広げられたとき又は狭められたとき、表示部２の表示画像を拡大又は縮小させる処理である。拡大縮小処理の具体例ついては、図３を参照して後述する。
【００２２】
また、検出部３は、表示部２に対するマルチタッチのタッチ位置のうちの一方のタッチ位置が表示部２の画面の左端（他端）又は右端（一端）から一定距離内にあることを検出する。制御部５は、検出部３の検出に基づいて、ページ遷移操作が表示部２にタッチ入力されたと判定して、第２遷移処理を実行する。ページ遷移操作とは、表示部２の表示画像を複数の画像のうちの所望の画像に遷移させる操作である。
【００２３】
第２遷移処理は、マルチタッチのタッチ位置の間隔が狭められたとき、その狭められた長さ（第１長さ）に基づいて遷移先ページ番号を決定し、表示部２の表示画像を遷移先画像に遷移させる処理である。遷移先画像とは、ページ番号が遷移先ページ番号である画像である。遷移先ページ番号とは、ページ遷移操作による遷移先の画像のページ番号である。第２遷移処理の具体例については、図４〜図６を参照して後述する。
【００２４】
第２遷移処理では、マルチタッチのタッチ位置の間隔を調整することで、素早く所望の遷移先ページ番号を決定できる。この結果、ピンチ操作（即ちゼスチャー操作）によって、複数の画像のうちの所望の画像を素早く表示部２に表示することができる。
【００２５】
図２を参照して、第１遷移処理の具体例を説明する。図２（ａ）は、スワイプ操作の一例を示す図であり、図２（ｂ）は、スワイプ操作後の表示画像の一例を示す図である。
【００２６】
以下、複数の画像Ｇの各々には、「Ａ」〜「Ｚ」の各々の文字が表記されている。「Ａ」、「Ｂ」、…、「Ｚ」が表記された画像Ｇをそれぞれ、画像ＧＡ、画像ＧＢ、…、画像ＧＺとも記載する。画像ＧＡ、画像ＧＢ、…、画像ＧＺには、「１」、「２」、…、「２６」のページ番号が設定されている。
【００２７】
図２（ａ）に示すように、表示部２には、複数の画像Ｇのうちの一の画像ＧＡが表示されている。使用者が、指で表示部２の画面にタッチし、タッチ位置Ｔを画面の右側から左側に移動させる。この結果、検出部３は、表示部２に対して第１スワイプ操作がタッチ入力されたことを検出する。第１スワイプ操作とは、表示部２の表示画像を次のページ番号の画像に遷移させる操作である。そして、制御部５は、検出部３の検出に基づいて、表示部２に表示された画像ＧＡを、表示部２の画面の右側から左側にスクロールさせる。
【００２８】
この結果、図２（ｂ）に示すように、表示部２の表示画像が画像ＧＡから画像ＧＢに遷移される。
【００２９】
図３を参照して、拡大縮小処理の具体例を説明する。図３（ａ）は、ピンチ操作の一例を示す図であり、図３（ｂ）は、ピンチ操作後の表示画像の一例を示す図である。
【００３０】
図３（ａ）に示すように、表示部２には、画像ＧＢが表示されている。使用者が、表示部２の画面の中央付近をマルチタッチする。この結果、検出部３は、マルチタッチのタッチ位置Ｔ１，Ｔ２の各々が、表示部２の画面の左端２Ｌ及び右端２Ｒから一定距離Ｓ内にないことを検出する。制御部５は、検出部３の検出に基づいて、表示画像の拡大縮小操作が表示部２にタッチ入力されたと判定する。
【００３１】
そして、使用者が、タッチ位置Ｔ２を画面の右側に移動させることによって、マルチタッチのタッチ位置Ｔ１，Ｔ２の間隔を広げる。この結果、検出部３は、マルチタッチのタッチ位置Ｔ１，Ｔ２の間隔が広げられたことを検出する。制御部５は、制御部５の判定及び検出部３の検出に基づいて、タッチ位置Ｔ１，Ｔ２の間隔の広げられた長さに基づいて拡大率を決定する。
【００３２】
そして、図３（ｂ）に示すように、制御部５は、表示部２に表示された画像ＧＢを、決定した拡大率に基づいて拡大させる。
【００３３】
なお、使用者がタッチ位置Ｔ１，Ｔ２の間隔を狭めた場合は、制御部５は、タッチ位置Ｔ１，Ｔ２の間隔の狭められた長さに基づいて縮小率を決定し、表示部２に表示された画像ＧＢを、決定した縮小率に基づいて縮小させる。
【００３４】
図４〜図６を参照して、第２遷移処理の具体例を説明する。図４（ａ）〜（ｃ）は、ピンチ操作の一例を示す図であり、図４（ｄ）は、ピンチ操作後の表示画像の一例を示す図である。
【００３５】
図４（ａ）に示すように、表示部２は、第１表示方法によって画像ＧＢを表示する。第１表示方法は、複数の画像Ｇのうちの一の画像を表示する方法である。使用者が、表示部２の画面の中央付近と右端２Ｒ付近とをマルチタッチする。この結果、検出部３は、マルチタッチのタッチ位置Ｔ１，Ｔ２のうちの一方のタッチ位置Ｔ２が、表示部２の画面の右端２Ｒから一定距離Ｓ内にあることを検出する。制御部５は、検出部３の検出に基づいて、ページ遷移操作として第１ページ遷移操作が表示部２にタッチ入力されたと判定する。第１ページ遷移操作とは、表示部２の表示画像を、表示画像よりも後方ページの画像に遷移させる操作である。
【００３６】
そして、図４（ｂ）に示すように、制御部５は、制御部５の判定に基づいて、表示部２による画像の表示方法を、第１表示方法から第２表示方法に変更する。第２表示方法は、複数の画像Ｇのうち、表示部２に表示された画像ＧＢよりも後方ページの画像ＧＣ〜ＧＺを、画像ＧＢの後側にずれて重なるように表示する表示方法である。画像ＧＣ〜ＧＺは、ページ番号が小さい順に画像ＧＺの後側に重ねられている。画像ＧＣ〜ＧＺは、右側にずれている。第１表示方法から第２表示方法への変更によって、表示装置１は、第１ページ遷移操作が有効に表示部２にタッチ入力されたことを使用者に知らせる。
【００３７】
そして、図４（ｃ）に示すように、使用者が、タッチ位置Ｔ２を表示部２の画面の左側に移動させることで、タッチ位置Ｔ１，Ｔ２の間隔を狭める。制御部５は、タッチ位置Ｔ１，Ｔ２の間隔の狭められた長さに基づいて、画像ＧＣ〜ＧＺのページ番号の中から遷移先ページ番号ＰＢを決定する。遷移先ページ番号ＰＢは、「５」に決定される。即ち、遷移先画像は、ページ番号が「５」である画像ＧＥである。なお、遷移先ページ番号の決定方法については、図５を参照して後述する。
【００３８】
そして、制御部５は、遷移先ページ番号ＰＢを表示部２に表示する。制御部５は、遷移先ページ番号ＰＢをタッチ位置Ｔ１，Ｔ２付近に表示する。
【００３９】
そして、使用者が、マルチタッチした指を表示部２の画面から離す。従って、検出部３はタッチ位置Ｔ１，Ｔ２を検出しなくなる。即ち、検出部３は、マルチタッチが解除されたことを検出する。そして、図４（ｄ）に示すように、制御部５は、検出部３の検出に基づいて、表示部２の表示画像を画像ＧＢから画像ＧＥに遷移させる。
【００４０】
図５を参照して、遷移先ページ番号ＰＢの決定方法について説明する。図５（ａ）及び（ｂ）はそれぞれ、ピンチ操作の一例を示す図である。
【００４１】
制御部５は、マルチタッチのタッチ位置Ｔ１，Ｔ２の間隔の狭められた長さＮが長いほど、遷移ページ数が多くなるように、遷移先ページ番号ＰＢを決定する。遷移ページ数とは、表示部２に表示された画像のページ番号と遷移先ページ番号ＰＢとの間のページ数である。
【００４２】
具体的には、図５（ａ）に示すように、表示部２には、画像ＧＢが表示されている。画像ＧＢのページ番号は「２」である。そして、使用者が、タッチ位置Ｔ１，Ｔ２の間隔を狭める。タッチ位置Ｔ１，Ｔ２の間隔の狭められた長さＮがＮ１である場合、制御部５は、遷移ページ数が例えば４になるように、遷移先ページ番号ＰＢを「７」に決定する。或いは、図５（ｂ）に示すように、タッチ位置Ｔ１，Ｔ２の間隔の狭められた長さＮがＮ１よりも長いＮ２である場合は、制御部５は、遷移ページ数が４よりも多い例えば２３になるように、遷移先ページ番号ＰＢを「２６」に決定する。
【００４３】
図６を参照して、第２遷移処理の他の具体例を説明する。図６（ａ）〜（ｃ）は、ピンチ操作の他の一例を示す図であり、図６（ｄ）は、ピンチ操作後の表示画像の一例を示す図である。
【００４４】
図４を参照して説明した具体例では、表示部２の表示画像を表示画像よりも後方ページの画像に遷移させる遷移処理について説明したが、図６を参照して説明する具体例では、表示部２の表示画像を表示画像よりも前方ページの画像に遷移させる遷移処理について説明する。
【００４５】
図６（ａ）に示すように、表示部２には、複数の画像Ｇのうちの一の画像ＧＺが表示されている。使用者が、表示部２の画面の中央付近と左端２Ｌ付近とをマルチタッチする。そして、検出部３は、マルチタッチのタッチ位置Ｔ１，Ｔ２のうちの一方のタッチ位置Ｔ１が、表示部２の画面の左端２Ｌから一定距離Ｓ内にあることを検出する。制御部５は、検出部３の検出に基づいて、ページ遷移操作として第２ページ遷移操作が表示部２にタッチ入力されたと判定する。第２ページ遷移操作は、表示部２の表示画像を、表示画像よりも前方ページの画像に遷移させる操作である。
【００４６】
そして、図６（ｂ）に示すように、制御部５は、制御部５の判定に基づいて、表示部２による画像の表示方法を、第１表示方法から第３表示方法に変更する。第３表示方法は、複数の画像Ｇのうち、画像ＧＺよりも前方ページの画像ＧＹ〜ＧＡを、画像ＧＺの後側にずれて重なるように表示させる表示方法である。画像ＧＹ〜ＧＡは、ページ番号が大きい順に画像ＧＺの後側に重ねられている。画像ＧＹ〜ＧＡは、左側にずれている。第１表示方法から第３表示方法への変更によって、表示装置１は、第２ページ遷移操作が有効に表示部２にタッチ入力されたことを使用者に知らせる。
【００４７】
そして、図６（ｃ）に示すように、使用者が、マルチタッチのタッチ位置Ｔ１，Ｔ２の間隔を狭める。制御部５は、タッチ位置Ｔ１，Ｔ２の間隔の狭められた長さに基づいて、画像ＧＹ〜ＧＡのページ番号の中から遷移先ページ番号ＰＢを決定する。遷移先ページ番号ＰＢは、「１５」に決定される。即ち、遷移先画像は、ページ番号が「１５」である画像ＧＯである。
【００４８】
そして、制御部５は、遷移先ページ番号ＰＢを表示部２に表示する。そして、使用者が、マルチタッチした指を表示部２の画面から離す。従って、検出部３はタッチ位置Ｔ１，Ｔ２を検出しなくなる。即ち、検出部３は、マルチタッチが解除されたことを検出する。そして、図６（ｄ）に示すように、制御部５は、検出部３の検出に基づいて、表示部２の表示画像を画像ＧＺから画像ＧＯに遷移させる。画像ＧＯは、ページ番号が「１５」である画像である。
【００４９】
＜変形例１＞
図７を参照して、使用者への遷移先画像の知らせ方の変形例を説明する。図７は、使用者への遷移先画像の知らせ方の変形例を示す図である。
【００５０】
本変形例は、表示部２の表示画像から遷移先画像の１つ前の画像までの画像を、捲るように表示することで、使用者に遷移先画像を知らせる点で、上記の実施形態と異なる。
【００５１】
詳しくは、図７に示すように、表示部２には、画像ＧＢが表示されている。そして、使用者が、表示部２の画面の中央と右端とをマルチタッチする。そして、検出部３は、第１ページ遷移操作が表示部２に対してタッチ入力されたことを検出する。制御部５は、検出部３の検出に基づいて、画像ＧＢの後側に、画像ＧＣ〜ＧＺを右側にずらして重ねるように表示する。
【００５２】
そして、使用者が、マルチタッチのタッチ位置Ｔ１，Ｔ２の間隔を狭める。そして、検出部３は、マルチタッチのタッチ位置Ｔ１，Ｔ２の間隔が狭められたことを検出する。制御部５は、検出部３の検出に基づいて、タッチ位置Ｔ１，Ｔ２の間隔の狭められた長さに基づいて、遷移先ページ番号ＰＢを「５」に決定する。即ち、遷移先画像は、ページ番号が「５」である画像ＧＥである。
【００５３】
そして、制御部５は、画像ＧＢ及び画像ＧＣ〜ＧＺのうち、画像ＧＥ上に重なる全ての画像ＧＢ，ＧＣ，ＧＤの各々の右下角部ＫＢ，ＫＣ，ＫＤを、画像ＧＢの表面側に折り返すように、表示部２に表示する。従って、画像ＧＥの右下角部ＫＥが露出される。この結果、画像ＧＥの一部（即ち右下角部ＫＥ）を使用者に直接視認させることができる。なお、画像ＧＢ，ＧＣ，ＧＤの各々の右下角部ＫＢ，ＫＣ，ＫＤは、画像ＧＢ，ＧＣ，ＧＤの各々の周縁の一部の一例である。
【００５４】
本変形例では、画像ＧＢ，ＧＣ，ＧＤの各々の右下角部ＫＢ，ＫＣ，ＫＤを折り返して表示すことで、画像ＧＢ，ＧＣ，ＧＤを捲るように表示している。
【００５５】
図７を参照して説明した具体例では、遷移先画像である画像ＧＥの右下角部ＫＥ上に、遷移先ページ番号ＰＢが表示される。なお、この表示は無くてもよい。
【００５６】
＜変形例２＞
図８を参照して、遷移先ページ番号ＰＢの決定方法の変形例を説明する。図８（ａ）及び（ｂ）はそれぞれ、ピンチ操作の一例を示す。
【００５７】
本変形例では、マルチタッチの狭められる前のタッチ位置の間隔が短いほど、タッチ位置の間隔の狭められた長さに対する遷移ページ数の割合が大きくなるように、遷移先ページ番号ＰＢが決定される点で、上記の実施形態と異なる。
【００５８】
詳しくは、制御部５は、表示部２の表示画像と、表示画像の後側にずらして重ねられた画像との枚数を合計した合計画像枚数を算出する。そして、制御部５は、合計画像枚数を、マルチタッチの狭められる前のタッチ位置の間隔で除算する。この除算によって、マルチタッチの狭められる前のタッチ位置の間隔の単位長さ当たりに割り当てられる画像枚数が算出される。そして、制御部５は、除算した結果と、タッチ位置の間隔の狭められた長さとを乗算する。この乗算によって、タッチ位置の間隔の狭められた長さに割り当てられる画像枚数が算出される。なお、乗算した結果は、四捨五入されて整数にされている。
【００５９】
そして、制御部５は、表示部２に対してタッチ入力されたページ遷移操作が第１ページ遷移操作である場合（即ち表示部２の表示画像を後方ページの画像に遷移する場合）は、乗算した結果を表示部２の表示画像のページ番号に加算し、加算した結果を遷移先ページ番号ＰＢに決定する。また、制御部５は、表示部２にタッチ入力されたページ遷移操作が第２ページ遷移操作である場合（即ち表示部２の表示画像を前方ページの画像に遷移する場合）は、乗算した結果を表示部２の表示画像のページ番号から減算し、減算した結果を遷移先ページ番号ＰＢに決定する。
【００６０】
図８（ａ）及び図８（ｂ）を参照して説明する具体例では、ピンチ操作として第１ページ遷移操作が表示部２に対してタッチ入力される。図８（ａ）を参照して説明する具体例では、マルチタッチの狭められる前のタッチ位置Ｔ１，Ｔ２の間隔Ｈは、間隔Ｈ１である。図８（ｂ）を参照して説明する具体例では、マルチタッチの狭められる前のタッチ位置Ｔ１，Ｔ２の間隔Ｈは、間隔Ｈ２である。間隔Ｈ２は、間隔Ｈ１よりも広い。本変形例では、図８（ａ）及び図８（ｂ）に示すように、ピンチ操作によってタッチ位置Ｔ１，Ｔ２の間隔の狭められる長さＮは、同じ長さである。
【００６１】
従って、図８（ａ）を参照して説明したピンチ操作の方が、図８（ｂ）を参照して説明したピンチ操作よりも、遷移先ページ番号ＰＢは大きくなる。なお、図８（ａ）及び図８（ｂ）を参照して説明したピンチ操作が第２ページ遷移操作である場合は、図８（ａ）を参照して説明したピンチ操作の方が、図８（ｂ）を参照して説明したピンチ操作よりも、遷移先ページ番号ＰＢは小さくなる。
【００６２】
この結果、狭められる前のタッチ位置Ｔ１，Ｔ２の間隔Ｈを短くするほど、タッチ位置Ｔ１，Ｔ２の間隔の狭められた長さＮが同じであっても、表示部２の表示画像を、より離れたページ番号の画像に遷移させることができる。
【００６３】
なお、上記の実施形態及び変形例では、マルチタッチの一方のタッチ位置が表示部２の画面の所定箇所から一定距離内にあることが検出されると、ページ遷移操作が表示部２にタッチ入力されたと判定されてもよい。例えば、表示部２の画面にウインドウが表示されている場合に、ウインドウの所定箇所（例えばウインドウの左端又は右端）から一定距離内にあることが検出されると、ページ遷移操作がウインドウにタッチ入力されたと判定されてもよい。なお、ウインドウとは、例えば、表示部２の画面に表示される作業画面である。
【００６４】
以上、図面（図１〜図８）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００６５】
１  表示装置
２  表示部
２Ｌ，２Ｒ  所定箇所
３  検出部
５  制御部
Ｇ  画像
Ｈ，Ｈ１，Ｈ２  ２つのタッチ位置の間隔
ＫＢ，ＫＣ，ＫＤ  周縁の一部
Ｎ  狭められた長さ
ＰＢ  遷移先ページ番号
Ｓ  一定距離
Ｔ１，Ｔ２  タッチ位置
【図１】
0006372472.tif 000002
【図２】
0006372472.tif 000003
【図３】
0006372472.tif 000004
【図４】
0006372472.tif 000005
【図５】
0006372472.tif 000006
【図６】
0006372472.tif 000007
【図７】
0006372472.tif 000008
【図８】
0006372472.tif 000009